(57)【要約】【課題】空調により生ずる結露水などの水と、気液接触型の空気清浄装置により生ずる汚染水とを効率的に排水することができる空調システムを提供する。【解決手段】建物１に空調装置３が設置されており、空調装置３は、下流側の冷暖房機能及び除湿機能を有する空調本体装置としてのエアコンディショナの屋内機３Ａと、上流側の気液接触型の空気清浄装置としてのエアワッシャー３Ｂとが通気可能に接続されて成り、エアコンディショナの屋内機３Ａに設けられた分岐ドレイン１２Ａと、エアワッシャー３Ｂに設けられた分岐ドレイン１２Ｂとが、共通のドレイン１２で合流された構成とされている。【選択図】図１
2012102918.tif 000002
【特許請求の範囲】
【請求項１】
建物に空調装置が設置されており、
前記空調装置は、下流側の冷暖房機能及び除湿機能を有する空調本体装置と、上流側の気液接触型の空気清浄装置とが通気可能に接続されて成り、
前記空調本体装置に設けられた分岐ドレインと、前記気液接触型の空気清浄装置に設けられた分岐ドレインとが、共通のドレインで合流されていることを特徴とする空調システム。
【請求項２】
前記建物の床下空間に前記空調装置が設置されており、
前記空調装置には、前記気液接触型の空気清浄装置側に、前記建物の床上空間に面して設けられた排気口と連通する内気吸込部が設けられており、前記空調本体装置側に前記建物の床上空間に面して設けられた給気口と連通する床上用吹出部が設けられていることを特徴とする請求項１に記載の空調システム。
【請求項３】
前記給気口と前記床上用吹出部との間が、ダクトを介して接続されていることを特徴とする請求項２に記載の空調システム。
【請求項４】
前記排気口と前記内気吸込部との間が、ダクトを介して接続されていることを特徴とする請求項２又は３に記載の空調システム。
【請求項５】
前記空調装置の前記空調本体装置側に、床下用吹出部が設けられていることを特徴とする請求項２乃至４のいずれか１項に記載の空調システム。
【請求項６】
前記床上空間に面して、前記給気口とは別の給気口が設けられており、該別の給気口は、前記床下空間と連通していることを特徴とする請求項５に記載の空調システム。
【請求項７】
前記空調装置の前記気液接触型の空気清浄装置側に、床下用吸込部が設けられていることを特徴とする請求項５又は６に記載の空調システム。
【請求項８】
前記空調装置は、換気機能も備えていることを特徴とする請求項１乃至７のいずれか１項に記載の空調システム。
【請求項９】
前記空調装置には、前記気液接触型の空気清浄装置側に、前記建物の外側面に面して設けられた外気吸入口と連通する外気吸込部が設けられており、前記空調本体装置側に前記建物の床上空間に面して設けられた給気口と連通する床上用吹出部が設けられていることを特徴とする請求項８に記載の空調システム。
【請求項１０】
前記外気吸入口と前記外気吸込部との間が、ダクトを介して接続されているとともに、前記給気口と前記床上用吹出部との間も、ダクトを介して接続されていることを特徴とする請求項９に記載の空調システム。
【請求項１１】
前記床上空間に面して、排気口が設けられており、前記空調装置の前記気液接触型の空気清浄装置側に、前記排気口と連通する内気吸込部が設けられており、前記排気口を通じて、前記床上空間の空気を吸込可能とされているとともに、前記建物の外側面に面して設けられた内気吐出口が前記床上空間と連通しており、該内気吐出口を通じて、前記床上空間の空気の一部を前記建物の外部に吐出可能とされていることを特徴とする請求項９又は１０に記載の空調システム。
【請求項１２】
前記排気口と前記内気吸込部との間が、ダクトを介して接続されているとともに、前記排気口と前記内気吐出口との間も、ダクトを介して接続されていることを特徴とする請求項１１に記載の空調システム。
【請求項１３】
前記排気口と前記内気吸込部との間は、ダクトを介して接続されていないとともに、前記床上空間に面して、内気排気口が設けられており、該内気排気口と前記内気吐出口との間が、ダクトを介して接続されていることを特徴とする請求項１１に記載の空調システム。
【請求項１４】
請求項１乃至１３のいずれか１項に記載の空調システムを備えていることを特徴とする建物。
【発明の詳細な説明】
【技術分野】
【０００１】
本発明は、建物の空調システム及びこの空調システムを備えた建物に関するものである。
【背景技術】
【０００２】
従来から、建物の床上空間における空調を行うにあたり、気液接触型の空気清浄装置（エアワッシャー）を用いて空気を清浄化する空調システムが知られている（例えば、特許文献１等を参照）。
【先行技術文献】
【特許文献】
【０００３】
【特許文献１】特開２００５−２１１７４１号公報
【発明の概要】
【発明が解決しようとする課題】
【０００４】
しかしながら、特許文献１のような従来の空調システムでは、空調（冷房）により生ずる結露水などの水と、気液接触型の空気清浄装置により生ずる汚染水とを、如何に効率的に排水するかについてまでは考慮されていなかったのが実情である。
【０００５】
そこで、本発明は、空調により生ずる結露水などの水と、気液接触型の空気清浄装置により生ずる汚染水とを効率的に排水することができる空調システム及びこの空調システムを備えた建物を提供することを目的としている。
【課題を解決するための手段】
【０００６】
前記目的を達成するために、本発明の空調システムは、建物に空調装置が設置されており、前記空調装置は、下流側の冷暖房機能及び除湿機能を有する空調本体装置と、上流側の気液接触型の空気清浄装置とが通気可能に接続されて成り、前記空調本体装置に設けられた分岐ドレインと、前記気液接触型の空気清浄装置に設けられた分岐ドレインとが、共通のドレインで合流されていることを特徴とする。
【０００７】
ここで、前記建物の床下空間に前記空調装置が設置されており、前記空調装置には、前記気液接触型の空気清浄装置側に、前記建物の床上空間に面して設けられた排気口と連通する内気吸込部が設けられており、前記空調本体装置側に前記建物の床上空間に面して設けられた給気口と連通する床上用吹出部が設けられているとよい。
【０００８】
また、前記給気口と前記床上用吹出部との間が、ダクトを介して接続されているとよい。
【０００９】
さらに、前記排気口と前記内気吸込部との間が、ダクトを介して接続されているとよい。
【００１０】
また、前記空調装置の前記空調本体装置側に、床下用吹出部が設けられていてもよい。
【００１１】
さらに、前記床上空間に面して、前記給気口とは別の給気口が設けられており、該別の給気口は、前記床下空間と連通していてもよい。
【００１２】
また、前記空調装置の前記気液接触型の空気清浄装置側に、床下用吸込部が設けられていてもよい。
【００１３】
さらに、前記空調装置は、換気機能も備えていてもよい。
【００１４】
また、前記空調装置には、前記気液接触型の空気清浄装置側に、前記建物の外側面に面して設けられた外気吸入口と連通する外気吸込部が設けられており、前記空調本体装置側に前記建物の床上空間に面して設けられた給気口と連通する床上用吹出部が設けられているとよい。
【００１５】
さらに、前記外気吸入口と前記外気吸込部との間が、ダクトを介して接続されているとともに、前記給気口と前記床上用吹出部との間も、ダクトを介して接続されているとよい。
【００１６】
また、前記床上空間に面して、排気口が設けられており、前記空調装置の前記気液接触型の空気清浄装置側に、前記排気口と連通する内気吸込部が設けられており、前記排気口を通じて、前記床上空間の空気を吸込可能とされているとともに、前記建物の外側面に面して設けられた内気吐出口が前記床上空間と連通しており、該内気吐出口を通じて、前記床上空間の空気の一部を前記建物の外部に吐出可能とされているとよい。
【００１７】
さらに、前記排気口と前記内気吸込部との間が、ダクトを介して接続されているとともに、前記排気口と前記内気吐出口との間も、ダクトを介して接続されていてもよい。
【００１８】
また、前記排気口と前記内気吸込部との間は、ダクトを介して接続されていないとともに、前記床上空間に面して、内気排気口が設けられており、該内気排気口と前記内気吐出口との間が、ダクトを介して接続されていてもよい。
【００１９】
本発明の建物は、上記した空調システムを備えていることを特徴とする。
【発明の効果】
【００２０】
このような本発明の空調システムは、建物に空調装置が設置されており、空調装置は、下流側の冷暖房機能及び除湿機能を有する空調本体装置と、上流側の気液接触型の空気清浄装置とが通気可能に接続されて成る。
【００２１】
そして、空調本体装置に設けられた分岐ドレインと、気液接触型の空気清浄装置に設けられた分岐ドレインとが、共通のドレインで合流された構成とされている。
【００２２】
こうした構成なので、空調本体装置により生ずる結露水などの水と、気液接触型の空気清浄装置により生ずる汚染水とを、共通のドレインでまとめて効率的に排水することができる。
【００２３】
そのうえ、気液接触型の空気清浄装置がフィルターのかわりとなり、しかもフィルター交換の必要がないため、略メンテナンスフリーとなる。
【００２４】
ここで、建物の床下空間に空調装置が設置されており、空調装置には、気液接触型の空気清浄装置側に、建物の床上空間に面して設けられた排気口と連通する内気吸込部が設けられており、空調本体装置側に建物の床上空間に面して設けられた給気口と連通する床上用吹出部が設けられている場合は、床上空間が空調装置などに占用されず、有効に利用することができるうえに、意匠的外観が良い。
【００２５】
また、給気口と床上用吹出部との間が、ダクトを介して接続されている場合は、給気口と床上用吹出部との間を、簡易な構造で連通させることができる。
【００２６】
さらに、排気口と内気吸込部との間が、ダクトを介して接続されている場合は、排気口と内気吸込部との間を、簡易な構造で連通させることができる。
【００２７】
また、空調装置の空調本体装置側に、床下用吹出部が設けられている場合は、床下用吹出部から暖気を吹き出し、床下空間を暖めることで、床を介して熱が伝達し、床上空間を均一にムラなく暖めるとともに頭寒足熱の快適な環境となる床下暖房を行うこともできる。
【００２８】
さらに、床上空間に面して、給気口とは別の給気口が設けられており、別の給気口は、床下空間と連通している場合は、空調装置の気液接触型の空気清浄装置側に、床下用吸込部を別途設けないで済むため、その分経済的に実施することができる。
【００２９】
また、空調装置の気液接触型の空気清浄装置側に、床下用吸込部が設けられている場合は、埃のたまりやすい床下空間を清浄化することができるし、別の給気口を設けないで済むため、床上空間の意匠的外観を向上させることができる。
【００３０】
さらに、空調装置は、換気機能も備えている場合は、空調だけでなく、換気も行うことができる。
【００３１】
また、空調装置には、気液接触型の空気清浄装置側に、建物の外側面に面して設けられた外気吸入口と連通する外気吸込部が設けられており、空調本体装置側に建物の床上空間に面して設けられた給気口と連通する床上用吹出部が設けられている場合は、簡易な構造で、空調だけでなく、換気も行うことができる。
【００３２】
さらに、外気吸入口と外気吸込部との間が、ダクトを介して接続されているとともに、給気口と床上用吹出部との間も、ダクトを介して接続されている場合は、外気吸入口と外気吸込部との間、及び給気口と床上用吹出部との間を、簡易な構造で連通させることができる。
【００３３】
また、床上空間に面して、排気口が設けられており、空調装置の気液接触型の空気清浄装置側に、排気口と連通する内気吸込部が設けられており、排気口を通じて、床上空間の空気を吸込可能とされているとともに、建物の外側面に面して設けられた内気吐出口が前記床上空間と連通しており、内気吐出口を通じて、床上空間の空気の一部を建物の外部に吐出可能とされている場合は、換気ルートと空調ルートとが明確となるので、換気と空調とを効率的に同時に管理制御して行える。
【００３４】
さらに、排気口と内気吸込部との間が、ダクトを介して接続されているとともに、排気口と内気吐出口との間も、ダクトを介して接続されている場合は、排気口と内気吸込部との間、及び排気口と内気吐出口との間を、簡易な構造で連通させることができる。
【００３５】
また、排気口と内気吸込部との間は、ダクトを介して接続されていないとともに、床上空間に面して、内気排気口が設けられており、内気排気口と内気吐出口との間が、ダクトを介して接続されている場合は、排気口と内気吸込部との間は、ダクトを介して接続されていないため、床上空間と床下空間との両方を、簡易な構造で清浄化することができる。
【００３６】
このような本発明の建物は、上記した空調システムを備えた構成とされている。
【００３７】
こうした構成なので、上記した効果を奏する建物とすることができる。
【図面の簡単な説明】
【００３８】
【図１】実施例１の空調システムを備えた建物の概略構成を説明する説明図である。
【図２】実施例１の空調装置の詳細を説明する模式図である。
【図３】実施例１の空調システムにおいて、即効性を有する暖房、冷房、又は空気清浄化を行った状態を示す説明図である。
【図４】実施例１の空調システムにおいて、床下暖房を行った状態を示す説明図である。
【図５】実施例１の空調システムにおいて、即効性を有する暖房及び床下暖房の両方を行った状態を示す説明図である。
【図６】実施例２の空調システムを備えた建物の概略構成を説明する説明図である。
【図７】実施例３の空調システムを備えた建物の概略構成を説明する説明図である。
【図８】実施例４の空調システムを備えた建物の概略構成を説明する説明図である。
【図９】実施例５の空調システムを備えた建物の概略構成を説明する説明図である。
【図１０】実施例６の空調システムを備えた建物の概略構成を説明する説明図である。
【図１１】実施例７の空調システムを備えた建物の概略構成を説明する説明図である。
【図１２】実施例８の空調システムを備えた建物の概略構成を説明する説明図である。
【発明を実施するための形態】
【００３９】
以下、本発明を実施するための形態を、図面に示す実施例１〜８に基づいて説明する。
【実施例１】
【００４０】
先ず、実施例１について説明する。
【００４１】
図１は、実施例１の空調システムを備えた建物１の概略構成を示している。
【００４２】
まず、このような建物１は、基礎断熱として構築された基礎底盤コンクリート１ｂと、その側縁に立設された基礎側壁コンクリート１ｃと、さらにその上に立設された外壁部１ｄと、その外壁部１ｄの上端開口を塞ぐ天井部１ｅとから主に構成されている。
【００４３】
そして、この天井部１ｅと外壁部１ｄとに囲まれる空間は、床としての床部１ａによって床下空間４と居室などの床上空間５とが区切られている。
【００４４】
この床部１ａは、特に床下空間４側からの床下暖房を考慮して、床下空間４と床上空間５との間の熱の伝達を許容し、断熱材が貼り付けられていない構成となっている。
【００４５】
また、基礎側壁コンクリート１ｃの床下空間４側には、グラスウールなどの基礎断熱材１０が貼り付けられており、床下空間４内の暖気の熱が屋外に極力漏れない断熱構造となっている。
【００４６】
そして、実施例１の空調システムは、床下空間４に換気機能を備えた空調装置３が設置されている。
【００４７】
この空調装置３は、下流側の冷暖房機能及び除湿機能を有する空調本体装置としてのエアコンディショナの屋内機３Ａと、上流側の気液接触型の空気清浄機としてのエアワッシャー３Ｂとが通気可能に接続された構成である。
【００４８】
ここで、この空調本体装置としてのエアコンディショナの屋内機３Ａは、ヒートポンプ式であり、建物１の屋外に設置された屋外機２と接続されている。
【００４９】
また、エアコンディショナの屋内機３Ａの内部には、屋外機２に繋がっている熱媒循環管路２１が接続されている。
【００５０】
さらに、このエアコンディショナの屋内機３Ａには、除湿機能を有するものが用いられている。
【００５１】
また、このエアコンディショナの屋内機３Ａは、床上用吹出部３２と床下用吹出部３３とを有している。
【００５２】
さらに、このエアコンディショナの屋内機３Ａには、床上用吹出部３２及び床下用吹出部３３から空気を様々な強さで吹き出させることが可能なファン（図示せず）が内蔵されている。
【００５３】
また、床上用吹出部３２と床下用吹出部３３とには、電動ダンパーなどから成る開閉弁３２ａ，３３ａがそれぞれ設けられている。
【００５４】
ここで、気液接触型の空気清浄機としてのエアワッシャー３Ｂは、外気吸込部３１Ａと、内気吸込部３１Ｂとを有している。
【００５５】
また、床部１ａには、グリル付きの排気口６と２種類の給気口７，９とが設けられている。
【００５６】
ここで、給気口７は、ダクト８２によりエアコンディショナの屋内機３Ａの床上用吹出部３２と接続されており、別の給気口９は、ダクトを介さず、床下空間４と直接連通している。
【００５７】
また、エアワッシャー３Ｂの外気吸込部３１Ａは、ダクト８１により、基礎側壁コンクリート１ｃに設けられた外気吸入口１１と接続されている。
【００５８】
ここで、ダクト８１内には、吸入用ファン１６が設けられている。
【００５９】
さらに、エアワッシャー３Ｂの内気吸込部３１Ｂは、ダクト８３により、排気口６と接続されている。
【００６０】
そして、ダクト８３は、ダクト８４により、基礎側壁コンクリート１ｃに設けられた内気吐出口１４と接続されている。
【００６１】
ここで、ダクト８４内には、吐出用ファン１５が設けられている。
【００６２】
なお、空調用の空気量よりも換気用の空気量を小さくするために、ダクト８１，８４には、ダクト８２，８３よりも内径の小さいものが用いられている。
【００６３】
また、床上空間５には、所望の運転パターンに設定するためのコントローラ１３が設けられている。
【００６４】
さらに、図２にも示したように、空調本体装置としてのエアコンディショナ３Ａからは、空調により空調用熱交換器１７で生ずる結露水などの水を排水可能なように分岐ドレイン１２Ａが設けられている。
【００６５】
また、気液接触型の空気清浄機としてのエアワッシャー３Ｂからは、汚染水を排水可能なように分岐ドレイン１２Ｂが設けられている。
【００６６】
エアワッシャー３Ｂでは、空調装置３の運転時には、給水管１８の先端の散水ノズル１８ａから換気用又は空調用の空気を洗浄する水が散水され、ポンプＰの汲み上げにより、循環管１９を通った水が、再度、給水管１８に給水されることを繰り返す。
【００６７】
ここで、ある程度の使用時間を経過すると、換気用又は空調用の空気を洗浄したエアワッシャー３Ｂ内の水はかなり汚染されるので、開閉弁Ｂ１を所定時間に開状態とし、分岐ドレイン１２Ｂから排水し、同時に、開閉弁Ｂ２を所定時間に開状態とし、市水給水管２０から新鮮な市水を供給して入れ換えを行う。
【００６８】
そして、分岐ドレイン１２Ａと分岐ドレイン１２Ｂとは、共通のドレイン１２で合流されており、この共通のドレイン１２を通って、建物１の屋外へ排水可能とされている。
【００６９】
次に、実施例１の空調システムの運転パターンについて説明する。
【００７０】
まず、暖房運転時のパターンについて説明する。
【００７１】
床上空間５を、即効性を有する暖房のみで暖めたいときは、空調装置３の床上用吹出部３２の開閉弁３２ａを開状態とし、床下用吹出部３３の開閉弁３３ａは閉状態とする。
【００７２】
そして、空調装置３を稼動させると、図３に示したように、床上空間５のみで暖気が対流して、床上空間５が即座に暖まる。
【００７３】
床上空間５を、床下暖房のみで暖めたいときは、空調装置３の床上用吹出部３２の開閉弁３２ａを閉状態とし、床下用吹出部３３の開閉弁３３ａは開状態とする。
【００７４】
そして、空調装置３を稼動させると、図４に示したように、床下空間４が即座に暖められ、その熱が主に床部１ａを介して床上空間５へ伝達され、床上空間５が均一にムラなく暖まる。
【００７５】
冬場の厳寒期などに、床上空間５を、即効性を有する暖房及び床下暖房の両者で暖めたいときは、空調装置３の床上用吹出部３２の開閉弁３２ａを開状態とし、床下用吹出部３３の開閉弁３３ａも開状態とする。
【００７６】
そして、空調装置３を稼動させると、図５に示したように、床上空間５のみで対流する暖気と、主に床部１ａを介して床上空間５へ伝達され、床上空間５を均一にムラなく暖める熱とで、床上空間５が即座に且つ均一にムラなく暖まる。
【００７７】
なお、いずれの暖房運転の際も、エアワッシャー３Ｂを空気が通過するために、床上空間５内の空気が加湿される。
【００７８】
すなわち、通常、共通のドレイン１２からは、エアワッシャー３Ｂからの汚染水のみが排水される。
【００７９】
次に、冷房運転時のパターンについて説明する。
【００８０】
床上空間５を冷房で冷やしたいときは、空調装置３の床上用吹出部３２の開閉弁３２ａを開状態とし、床下用吹出部３３の開閉弁３３ａは閉状態とする。
【００８１】
そして、空調装置３を稼動させると、図３に示したように、床上空間５のみで冷気が対流して、床上空間５が即座に冷やされる。
【００８２】
なお、この冷房運転時の際には、エアワッシャー３Ｂを空気が通過するために、エアコンディショナの屋内機３Ａの除湿機能で除湿する。
【００８３】
すなわち、通常、共通のドレイン１２からは、エアコンディショナの屋内機３Ａからの結露水及び除湿された水と、エアワッシャー３Ｂからの汚染水とが排水される。
【００８４】
次に、空気清浄化運転時のパターンについて説明する。
【００８５】
床上空間５の空気清浄化のみをしたいときは、空調装置３の床上用吹出部３２の開閉弁３２ａを開状態とし、床下用吹出部３３の開閉弁３３ａは閉状態とする。
【００８６】
そして、空調装置３を稼動させると、図３に示したように、床上空間５のみで空気が対流して、床上空間５の空気が清浄化される。
【００８７】
なお、この空気清浄化運転時の際には、エアワッシャー３Ｂを空気が通過するために、湿度の高い夏場などであれば、エアコンディショナの屋内機３Ａの除湿機能で除湿し、湿度の低い冬場などであれば、除湿機能を停止して、加湿すればよい。
【００８８】
すなわち、通常、共通のドレイン１２からは、湿度の高い夏場などであれば、エアコンディショナの屋内機３Ａからの除湿された水と、エアワッシャー３Ｂからの汚染水とが排水され、湿度の低い冬場などであれば、エアワッシャー３Ｂからの汚染水のみが排水される。
【００８９】
ここで、いずれの運転時の際も、吸入用ファン１６を回して外気吸入口１１から吸入される空気量は、約１５０ｍ３／ｈとし、吐出用ファン１５を回して内気吐出口１４から吐出される空気量は、略同一の約１５０ｍ３／ｈとした。
【００９０】
また、床上空間５を循環する空気量、すなわち、排気口６から吸い込まれる空気量は、約６５０ｍ３／ｈとした。
【００９１】
要するに、換気用の空気量を空調用の空気量よりも小さくすることにより、熱損失を小さくした。
【００９２】
但し、これらの数値は、床上空間５の広さなどの関係から適宜変化するものである。
【００９３】
次に、実施例１の作用効果について説明する。
【００９４】
このような実施例１の空調システムは、建物１に空調装置３が設置されており、空調装置３は、下流側の冷暖房機能及び除湿機能を有する空調本体装置としてのエアコンディショナの屋内機３Ａと、上流側の気液接触型の空気清浄装置としてのエアワッシャー３Ｂとが通気可能に接続されて成る。
【００９５】
そして、エアコンディショナの屋内機３Ａに設けられた分岐ドレイン１２Ａと、エアワッシャー３Ｂに設けられた分岐ドレイン１２Ｂとが、共通のドレイン１２で合流された構成とされている。
【００９６】
こうした構成なので、エアコンディショナの屋内機３Ａにより生ずる結露水などの水と、エアワッシャー３Ｂにより生ずる汚染水とを、共通のドレイン１２でまとめて効率的に建物１の屋外へ排水することができる。
【００９７】
すなわち、分岐ドレイン１２Ａ，１２Ｂを、個別に建物１の屋外へ配管する必要がない。
【００９８】
そのうえ、エアワッシャー３Ｂがフィルターのかわりとなり、しかもフィルター交換の必要がないため、略メンテナンスフリーとなる。
【００９９】
ここで、建物１の床下空間４に空調装置３が設置されており、空調装置３には、エアワッシャー３Ｂ側に、建物１の床部１ａに設けられた排気口６とダクト８３を介して接続された内気吸込部３１Ｂが設けられており、エアコンディショナの屋内機３Ａ側に建物１の床部１ａに設けられた給気口７とダクト８２を介して接続された床上用吹出部３２が設けられている。
【０１００】
このため、床上空間５が空調装置３などに占用されず、有効に利用することができるうえに、意匠的外観が良い。
【０１０１】
また、空調装置３は、換気機能も備えている。
【０１０２】
このため、冷暖房や調湿などの空調だけでなく、換気も行うことができる。
【０１０３】
ここで、空調装置３には、エアワッシャー３Ｂ側に、建物１の基礎側壁コンクリート１ｃに設けられた外気吸入口１１とダクト８１を介して接続された外気吸込部３１Ａが設けられている。
【０１０４】
このため、簡易な構造で、冷暖房や調湿などの空調だけでなく、換気も行うことができる。
【０１０５】
また、建物１の基礎側壁コンクリート１ｃに設けられた内気吐出口１４がダクト８４を介してダクト８３と連通しており、内気吐出口１４を通じて、床上空間５の空気の一部を建物１の外部に吐出可能とされている。
【０１０６】
このため、換気ルートと空調ルートとが明確となるので、冷暖房や調湿などの空調と換気とを効率的に同時に管理制御して行える。
【０１０７】
さらに、外気吸入口１１から吸入される空気量と、内気吐出口１４から吐出される床上空間５の空気量とは、略同一とされるとともに、この換気用の空気量は、床上空間５を循環する空調用の空気量よりも小さくされている。
【０１０８】
このため、換気による熱損失が小さいので、冷暖房や調湿などの空調と換気とをより効率的に同時に管理制御して行える。
【０１０９】
また、空調装置３のエアコンディショナの屋内機３Ａ側に、床下用吹出部３３が設けられている。
【０１１０】
このため、床下用吹出部３３から暖気を吹き出し、床下空間４を暖めることで、床部１ａを介して熱が伝達し、床上空間５を均一にムラなく暖めるとともに頭寒足熱の快適な環境となる床下暖房を行うこともできる。
【０１１１】
さらに、床部１ａには、給気口７とは別の給気口９が設けられており、この別の給気口９は、床下空間４と連通している。
【０１１２】
このため、空調装置３のエアワッシャー３Ｂ側に、床下用吸込部を別途設けないで済むため、その分経済的に実施することができる。
【０１１３】
また、空調装置３のエアコンディショナの屋内機３Ａ側の床上用吹出部３２と床下用吹出部３３とには、開閉弁３２ａ，３３ａがそれぞれ設けられており、床上用吹出部３２からの空調された空気の吹き出しと、床下用吹出部３３からの空調された空気の吹き出しとを、それぞれ独立して制御可能とされている。
【０１１４】
このため、開閉弁３２ａ，３３ａの開閉により、床上用吹出部３２からの冷房と、床上用吹出部３２からの即効性を有する暖房と、床下用吹出部３３からの床下暖房とを簡易に切替制御することができる。
【０１１５】
さらに、空調装置３のエアコンディショナの屋内機３Ａは、ヒートポンプ式であり、屋外に設置された屋外機２に接続されている。
【０１１６】
このため、ヒートポンプを用いるので、省エネルギー性能に優れたものとすることができる。
【０１１７】
また、床下空間４は、建物１の床部１ａと基礎底盤コンクリート１ｂと基礎側壁コンクリート１ｃとに囲まれているとともに、基礎側壁コンクリート１ｃには基礎断熱材１０が取り付けられている。
【０１１８】
このため、床下空間４が断熱構造とされ、床下空間４内の暖気の熱を屋外に極力漏らすことなく、エネルギー効率のよい床下暖房を行える。
【０１１９】
このような実施例１の建物１は、実施例１の空調システムを備えた構成とされている。
【０１２０】
こうした構成なので、上記した実施例１の空調システムの作用効果を奏する建物とすることができる。
【実施例２】
【０１２１】
次に、実施例２について説明する。
【０１２２】
なお、実施例１で説明した内容と同一乃至均等な部分の説明については同一符号を付して説明する。
【０１２３】
図６は、実施例２の空調システムを備えた建物１Ａの概略構成を示している。
【０１２４】
この実施例２の建物１Ａでは、床部１ａにダクトを介さない別の給気口９が設けられておらず、空調装置３０のエアワッシャー３Ｂ側に床下用吸込部３１Ｃが設けられていることが実施例１の建物１と主に異なる。
【０１２５】
このため、埃のたまりやすい床下空間４を清浄化することができるし、別の給気口９を設けないで済むため、床上空間５の意匠的外観を向上させることができる。
【０１２６】
なお、他の構成及び作用効果については、実施例１と略同様であるので説明を省略する。
【実施例３】
【０１２７】
次に、実施例３について説明する。
【０１２８】
なお、実施例１で説明した内容と同一乃至均等な部分の説明については同一符号を付して説明する。
【０１２９】
図７は、実施例３の空調システムを備えた建物１Ｂの概略構成を示している。
【０１３０】
この実施例３の建物１Ｂでは、床部１ａにダクトを介さない別の給気口９が設けられておらず、空調装置３００のエアコンディショナの屋内機３Ａ側に床下用吹出部３３が設けられておらず、床上用吹出部３２の開閉弁３２ａも設けられていないことが実施例１の建物１と主に異なる。
【０１３１】
このため、床上空間５が床下暖房を必要としないときに好適であり、空調装置３００の構造を簡略化することができる。
【０１３２】
また、別の給気口９を設けないで済むため、床上空間５の意匠的外観を向上させることができる。
【０１３３】
なお、他の構成及び作用効果については、実施例１と略同様であるので説明を省略する。
【実施例４】
【０１３４】
次に、実施例４について説明する。
【０１３５】
なお、実施例１で説明した内容と同一乃至均等な部分の説明については同一符号を付して説明する。
【０１３６】
図８は、実施例４の空調システムを備えた建物１Ｃの概略構成を示している。
【０１３７】
この実施例４の建物１Ｃでは、床部１ａに設けられた排気口６と空調装置３０１のエアワッシャー３Ｂ側の内気吸込部３１Ｂとの間は、ダクト８３を介して接続されていない。
【０１３８】
そして、床部１ａには、内気排気口６０が別途設けられており、この内気排気口６０と内気吐出口１４との間が、ダクト８４を介して接続されていることが、実施例１の建物１と主に異なる。
【０１３９】
このため、排気口６と内気吸込部３１Ｂとの間は、ダクト８３を介して接続されていないので、床上空間５と床下空間４との両方を、簡易な構造で清浄化することができる。
【０１４０】
なお、他の構成及び作用効果については、実施例１と略同様であるので説明を省略する。
【実施例５】
【０１４１】
次に、実施例５について説明する。
【０１４２】
なお、実施例１で説明した内容と同一乃至均等な部分の説明については同一符号を付して説明する。
【０１４３】
図９は、実施例５の空調システムを備えた建物１Ｄの概略構成を示している。
【０１４４】
この実施例５の建物１Ｄでは、外気吸入口１１と、内気吐出口１４と、ダクト８１と、ダクト８４と、空調装置３０２のエアワッシャー３Ｂ側の外気吸込部３１Ａとが設けられておらず、換気機能を備えていないことが、実施例１の建物１と主に異なる。
【０１４５】
なお、他の構成及び作用効果については、実施例１と略同様であるので説明を省略する。
【実施例６】
【０１４６】
次に、実施例６について説明する。
【０１４７】
なお、実施例１，２，５で説明した内容と同一乃至均等な部分の説明については同一符号を付して説明する。
【０１４８】
図１０は、実施例６の空調システムを備えた建物１Ｅの概略構成を示している。
【０１４９】
この実施例６の建物１Ｅでは、床部１ａにダクトを介さない別の給気口９が設けられておらず、空調装置３０３のエアワッシャー３Ｂ側に床下用吸込部３１Ｃが設けられていることが実施例５の建物１Ｄと主に異なる。
【０１５０】
すなわち、この実施例６の空調システムは、実施例２の空調システムにおいて、換気機能を備えていないタイプのものといえる。
【０１５１】
なお、他の構成及び作用効果については、実施例１，２，５と略同様であるので説明を省略する。
【実施例７】
【０１５２】
次に、実施例７について説明する。
【０１５３】
なお、実施例１，３，５で説明した内容と同一乃至均等な部分の説明については同一符号を付して説明する。
【０１５４】
図１１は、実施例７の空調システムを備えた建物１Ｆの概略構成を示している。
【０１５５】
この実施例７の建物１Ｆでは、床部１ａにダクトを介さない別の給気口９が設けられておらず、空調装置３０４のエアコンディショナの屋内機３Ａ側に床下用吹出部３３が設けられておらず、床上用吹出部３２の開閉弁３２ａも設けられていないことが実施例５の建物１Ｄと主に異なる。
【０１５６】
すなわち、この実施例７の空調システムは、実施例３の空調システムにおいて、換気機能を備えていないタイプのものといえる。
【０１５７】
なお、他の構成及び作用効果については、実施例１，３，５と略同様であるので説明を省略する。
【実施例８】
【０１５８】
次に、実施例８について説明する。
【０１５９】
なお、実施例１，４，５で説明した内容と同一乃至均等な部分の説明については同一符号を付して説明する。
【０１６０】
図１２は、実施例８の空調システムを備えた建物１Ｇの概略構成を示している。
【０１６１】
この実施例８の建物１Ｇでは、床部１ａに設けられた排気口６と空調装置３０５のエアワッシャー３Ｂ側の内気吸込部３１Ｂとの間は、ダクト８３を介して接続されていないことが、実施例５の建物１Ｄと主に異なる。
【０１６２】
すなわち、この実施例８の空調システムは、実施例４の空調システムにおいて、換気機能を備えていないタイプのものといえる。
【０１６３】
なお、他の構成及び作用効果については、実施例１，４，５と略同様であるので説明を省略する。
【０１６４】
以上、図面を参照して、本発明を実施するための形態を実施例１〜８に基づいて詳述してきたが、具体的な構成は、これらの実施例１〜８に限らず、本発明の要旨を逸脱しない程度の設計的変更は、本発明に含まれる。
【０１６５】
例えば、上記した実施例１〜８では、空調装置３，３０，３００，３０１，３０２，３０３，３０４，３０５を床下空間４に設置して実施したが、これに限定されず、例えば、屋根裏空間などに設置して実施してもよい。
【０１６６】
また、上記した実施例１〜８では、本発明の換気空調システムの説明を簡単に行えるように、建物１，１Ａ，１Ｂ，１Ｃ，１Ｄ，１Ｅ，１Ｆ，１Ｇの構造などを単純化したが、これに限定されない。
【０１６７】
すなわち、３階以上の階から成る複数の部屋を有する建物において、各部屋に対して、これらの空調システムを適用するようにして実施してもよい。
【０１６８】
また、上記した実施例１〜８では、空調装置３，３０，３００，３０１，３０２，３０３，３０４，３０５を床下空間４に１台のみ設置して実施したが、これに限定されず、必要に応じ、複数台設置し実施してもよい。
【０１６９】
さらに、上記した実施例１〜８では、排気口６，給気口７，ダクトを介さない別の給気口９及び内気排気口６０などを床部１ａに設けて実施したが、これに限定されず、これらを床上空間５の内壁などに設けて実施してもよい。
【符号の説明】
【０１７０】
１      建物
１Ａ    建物
１Ｂ    建物
１Ｃ    建物
１Ｄ    建物
１Ｅ    建物
１Ｆ    建物
１Ｇ    建物
１ａ    床部（床）
１ｂ    基礎底盤コンクリート
１ｃ    基礎側壁コンクリート（建物の外周の基礎）
１ｄ    外壁部
１ｅ    天井部
２      エアコンディショナの屋外機
２１    熱媒循環管路
３      空調装置
３０    空調装置
３００  空調装置
３０１  空調装置
３０２  空調装置
３０３  空調装置
３０４  空調装置
３０５  空調装置
３Ａ    エアコンディショナの屋内機（空調本体装置）
３Ｂ    エアワッシャー（気液接触型の空気清浄装置）
３１Ａ  外気吸込部
３１Ｂ  内気吸込部
３１Ｃ  床下用吸込部
３２    床上用吹出部
３３    床下用吹出部
３２ａ  開閉弁
３３ａ  開閉弁
４      床下空間
５      床上空間
６      排気口
６０    内気排気口
７      給気口
８１    ダクト
８２    ダクト
８３    ダクト
８４    ダクト
９      別の給気口
１０    基礎断熱材
１１    外気吸入口
１２    共通のドレイン
１２Ａ  分岐ドレイン
１２Ｂ  分岐ドレイン
１３    コントローラ
１４    内気吐出口
１５    吐出用ファン
１６    吸入用ファン
１７    空調用熱交換器
１８    給水管
１８ａ  散水ノズル
１９    循環管
２０    市水給水管
Ｂ１    開閉弁
Ｂ２    開閉弁
Ｐ      ポンプ
【図１】
2012102918.tif 000003
【図２】
2012102918.tif 000004
【図３】
2012102918.tif 000005
【図４】
2012102918.tif 000006
【図５】
2012102918.tif 000007
【図６】
2012102918.tif 000008
【図７】
2012102918.tif 000009
【図８】
2012102918.tif 000010
【図９】
2012102918.tif 000011
【図１０】
2012102918.tif 000012
【図１１】
2012102918.tif 000013
【図１２】
2012102918.tif 000014